(57)【要約】【課題】建物の断熱性能を向上させることができる、屋根構造を提供する。【解決手段】屋根構造は、垂木４１と、軒桁２と、断熱性を有した外壁３と、を備える。屋根構造は、屋根材４５からの熱を遮断する屋根裏断熱材５２と、を備える。外壁３は、間柱６１の軒先側に設けられる内装材３２と、内装材３２よりも軒先側に設けられる外装材３１と、外装材３１と内装材３２との間に設けられる外装断熱パネル３３と、を有する。外装断熱パネル３３の上端は、垂木４１と干渉しないように軒桁２の上端よりも所定の間隔下方に位置して設置される。軒桁２の軒先側面の上端部には、外装断熱パネル３３によって覆われない非設置部２５が形成される。屋根構造は、屋根裏断熱材５２の軒先側端部の上端と、非設置部２５と、を覆い、垂木４１の間に配置される、軒側断熱パネル１を備えることを特徴とする。【選択図】図１
2015113663.tif 000002
【特許請求の範囲】
【請求項１】
棟側から軒先側にかけて設置される垂木と、前記垂木が固定される軒桁と、断熱性を有した外壁と、前記軒桁の上端に水平に設置される板部材と、前記板部材の上面に設置され屋根材からの熱を遮断する屋根裏断熱材と、を備える屋根構造であって、
前記外壁は、前記軒桁の下端に設置される間柱の軒先側に設けられる内装材と、前記内装材よりも軒先側に設けられる外装材と、前記内装材と前記外装材との間に設けられる外装断熱パネルと、を有し、
前記外装断熱パネルの上端は、前記垂木と干渉しないように前記軒桁の上端よりも所定の間隔下方に位置して設置され、
前記軒桁の軒先側面の上端部には、前記外装断熱パネルによって覆われない非設置部が形成され、
前記屋根裏断熱材の軒先側端部の厚みは、前記垂木の傾斜に沿って軒先側に行く程薄くなり、
前記屋根裏断熱材の軒先側端部の上端と、前記非設置部と、を覆い、前記垂木の間に配置される、軒側断熱パネルを備えることを特徴とする屋根構造。
【請求項２】
前記軒側断熱パネルの前記屋根裏断熱材の軒先側端部の上方に位置する部分の上下方向の高さは、前記垂木の上下方向の高さより低いことを特徴とする請求項１記載の屋根構造。
【発明の詳細な説明】
【技術分野】
【０００１】
本発明は、屋根構造に関するもので、詳しくは断熱パネルを備えた屋根構造に関するものである。
【背景技術】
【０００２】
従来、垂木と、垂木が固定される軒桁と、断熱性を有した外壁と、軒桁の上端に水平に設置される板部材と、板部材の上面に設置され屋根材からの熱を遮断する屋根裏断熱材と、を備えたものが知られている（例えば特許文献１参照）。
【先行技術文献】
【特許文献】
【０００３】
【特許文献１】特開２０１３−２２４５２０号公報
【発明の概要】
【発明が解決しようとする課題】
【０００４】
ところで、特許文献１に記載されている発明では、外壁は、軒桁の下端に設置される間柱の軒先側に設けられる内装材と、内装材よりも軒先側に設けられる外装材と、外装材と内装材との間に設置される外装断熱パネルと、を有する。しかし、外装断熱パネルは、軒桁の軒先側側面の上端部を覆っておらず、軒桁が外気に晒されるため、建物の断熱性能が低下してしまっていた。
【０００５】
本発明は上記従来の問題点に鑑みて発明したものであって、その目的とするところは、断熱性能を向上させる、屋根構造を提供することを課題とするものである。
【課題を解決するための手段】
【０００６】
上記課題を解決するために、本発明は、以下のような構成とする。
【０００７】
棟側から軒先側にかけて設置される垂木と、前記垂木が固定される軒桁と、断熱性を有した外壁と、前記軒桁の上端に水平に設置される板部材と、前記板部材の上面に設置され屋根材からの熱を遮断する屋根裏断熱材と、を備える屋根構造であって、前記外壁は、前記軒桁の下端に設置される間柱の軒先側に設けられる内装材と、前記内装材よりも軒先側に設けられる外装材と、前記内装材と前記外装材との間に設けられる外装断熱パネルと、を有し、前記外装断熱パネルの上端は、前記垂木と干渉しないように前記軒桁の上端よりも所定の間隔下方に位置して設置され、前記軒桁の軒先側面の上端部には、前記外装断熱パネルによって覆われない非設置部が形成され、前記屋根裏断熱材の軒先側端部の厚みは、前記垂木の傾斜に沿って軒先側に行く程薄くなり、前記屋根裏断熱材の軒先側端部の上端と、前記非設置部と、を覆い、前記垂木の間に配置される、軒側断熱パネルを備えることを特徴とする。
【０００８】
また、前記軒側断熱パネルの前記屋根裏断熱材の軒先側端部の上方に位置する部分の上下方向の高さは、前記垂木の上下方向の高さより低いことが好ましい。
【発明の効果】
【０００９】
本発明の屋根構造は、垂木と干渉しないように、外装断熱パネルの上端を軒桁の上端よりも所定の間隔下方に位置して設置しており、軒桁の上端部に外装断熱パネルで覆われない非設置部が形成される。軒側断熱パネルが垂木の間に配置されることにより、非設置部を覆うことができ、建物の断熱性能を向上させることができる。また、軒側断熱パネルは、垂木の傾斜に沿って軒先側に行く程薄くなる屋根裏断熱材の軒先側端部も覆う断熱材であり、屋根裏断熱材の軒先側端部の断熱性能を補完することができる。
【図面の簡単な説明】
【００１０】
【図１】本実施形態の屋根構造の側断面図である。
【図２】本実施形態の軒側断熱パネルを垂木の間に嵌め込んだ斜視図である。
【図３】本実施形態の屋根構造を屋根裏から視たときの斜視図である。
【図４】（ａ）は本実施形態の軒側断熱パネルの収納状態の斜視図であり、（ｂ）は本実施形態の軒側断熱パネルの展開状態の斜視図である。
【図５】本実施形態の軒側断熱パネルが、一体に成形されたときの斜視図である。
【発明を実施するための形態】
【００１１】
以下、本発明を添付図面に示す実施形態に基いて説明する。
【００１２】
屋根構造は、本実施形態では、図１に示すように、棟側から軒先側にかけて設置される垂木４１と、垂木４１が固定される軒桁２と、断熱性を有した外壁３と、を備える。
【００１３】
垂木４１は、棟木（図示せず）から軒先まで、軒先に行く程下方に位置するように傾斜して棟木と軒桁２に固定される。垂木４１の上面には、野地板４２が設置される。そして、野地板４２の上面には屋根材４５が設置されるが、防水シート４４（アスファルトルーフィング）等を介して設置される方が好ましい。
【００１４】
軒桁２は、本実施形態では、図１、３に示すように、ウェブ２１ａの上端と下端に水平に設けられるフランジ部２１ｂを備えたＨ型鋼２１を備える。更に軒桁２は、Ｈ型鋼２１の上端のフランジ部２１ｂに取付けられる木材からなる上端材２２と、Ｈ型鋼２１の下端のフランジ部２１ｂに取付けられる木材からなる下端材２３と、を備える。軒桁２は水平方向に固定して使用すると、重力を受けて軒桁２の長手方向の中心部分が下方に撓んでしまうが、Ｈ型鋼２１を有していることにより、前記撓みを抑制することができる。
【００１５】
軒桁２が金属と木材の複合軒桁であると、金属であるＨ型鋼２１の部分は熱伝導率が高いため、外気の影響を受け易く、室温と外気の気温差により、軒桁２に結露が生じ易くなる。そのため、上下のフランジ部２１ｂの軒先側半部とウェブ２１ａとで形成される側面視矩形状の空間に軒桁用断熱材２４が取付けられることが好ましい。これにより、Ｈ型鋼２１が外気の影響を受け難くすることができる。軒桁用断熱材２４は、無機質繊維であるロックウールにより形成されるのが好ましいが、その材質は特に限定されない。
【００１６】
なお、軒桁２は上述したような金属と木材の複合軒桁ではなく、木材であってもよく、その材質は限定されない。
【００１７】
外壁３は、本実施形態では、図１に示すように、軒桁２の下端に設置される間柱６１の軒先側に設けられる内装材３２と、内装材３２よりも軒先側に設けられる外装材３１と、を有する。
【００１８】
内装材３２は、構造用合板であり、ケナフボード等が好適に用いられる。間柱６１の間に図示しない内装断熱パネルが設置されてもよい。
【００１９】
外壁３は、内装材３２と外装材３１との間に設けられる外装断熱パネル３３を有する。外装断熱パネル３３と外装材３１との間に通気空間を確保するために、内装材３２に固定される通気胴縁３４が設けられる。従って、外装断熱パネル３３は、本実施形態では、外装材３１と内装材３２との間に隙間なく設置されない。
【００２０】
外装断熱パネル３３は、建物の構造体を外側から覆う。外装断熱パネル３３を設けることにより、外気温が建物の柱や軒桁２などに伝わり難くすることができる。外装断熱パネル３３は、ポリエステルやガラス繊維などで形成されることが好ましいが、その材質は特に限定されない。外装断熱パネル３３は、内装材３２の軒先側端面の通気胴縁３４が固定されている部分以外の場所に取付けられる。
【００２１】
外装断熱パネル３３は、傾斜して設置される垂木４１と干渉しないように、軒桁２の上端より所定の間隔下方に位置して設置される。そのため、軒桁２の軒先側面の上端部には、外装断熱パネル３３によって覆われない非設置部２５が形成される。
【００２２】
内装材３２には、本実施形態では、図１、３に示すように、上端部に横桟３２ａが設けられる。そのため、外装断熱パネル３３は、本実施形態では、主に室内への外気の影響を抑制する中間部外装断熱パネル３３ａと、軒桁２や天井裏への外気の影響を抑制する上端部外装断熱パネル３３ｂと、に分けられる。なお、外装断熱パネル３３は、上記したように分けられていなくともよい。
【００２３】
屋根構造は、本実施形態では、図１に示すように、軒桁２の上端に水平に設置される板部材５１と、板部材５１の上面に設置され屋根材４５からの熱を遮断する屋根裏断熱材５２を備える。板部材５１は、コンクリートパネル（耐水ラワンベニヤ）となっている。屋根裏断熱材５２は、ロックウールで形成されるのが好ましいが、材質は特に限定されない。屋根裏断熱材５２は、野地板４２と板部材５１との間に形成される屋根裏空間５３の下端部に設置される。屋根裏断熱材５２の軒先側端部の厚みは、垂木４１の傾斜に沿って屋根裏断熱材５２の軒先側端部の上端面が軒先に行く程下方に位置するように傾斜しているので、軒先側に行く程薄くなる。
【００２４】
垂木４１の下面の屋根裏断熱材５２の軒先側端部の上方に位置する部分には、本実施形態では、図１、３に示すように、合板で形成される支持板４１ａが取付けられる。支持板４１ａは、軒方向に亘って設けられ、垂木４１の下面にタッカー等の固着具により固定される。支持板４１ａが取付けられると、屋根裏断熱材５２の配設作業を容易にすることができる。なお、支持板４１ａは取付けられなくともよい。
【００２５】
屋根構造は、本実施形態では、図１乃至図３に示すように、屋根裏断熱材５２の軒先側端部の上端と、非設置部２５と、を覆い、垂木４１の間に嵌め込まれる、軒側断熱パネル１を備える。軒側断熱パネル１は、支持板４１ａに取付けられる屋根側覆い部１１と、屋根側覆い部１１の軒先端に設けられる垂れ片１２と、を備える。垂れ片１２は、本実施形態では、屋根側覆い部１１の軒先端面の上端を軸として回転する屈曲部１２ａと、屈曲部１２ａに取付けられ軒桁２の上端部を覆う軒先側覆い部１２ｂと、を備える。軒側断熱パネル１は、側面視略Ｌ字状となっているが、その形状は限定されない。
【００２６】
屋根側覆い部１１は、支持板４１ａの上面に接着材により固定される。屋根側覆い部１１は、平面視矩形状となっているが、その形状は限定されない。屋根側覆い部１１は、屋根裏断熱材５２の厚みが薄くなる軒先側端部を覆う断熱材であり、屋根裏断熱材５２の軒先側端部の断熱性能を補完することができる。屋根側覆い部１１は、押出法ポリスチレンフォーム、ウレタンフォーム、フェノールフォーム、といったプラスチック系発泡断熱材で形成されることが好ましい。
【００２７】
屋根側覆い部１１の上下方向の高さは、垂木４１の上下方向の高さより低い方が好ましい。これにより、屋根側覆い部１１の上面と野地板４２の下面との間に屋根裏空間５３と連通する通気空間である連通部４３が設けられる。連通部４３が設けられることにより、屋根裏空間５３の換気を行うことができる。
【００２８】
屈曲部１２ａは、側面視三角形状となっているが、その形状は限定されない。屈曲部１２ａは、垂木４１の傾斜に合わせて傾斜する屋根側覆い部１１から下方に軒桁２の上端部に沿って、軒先側覆い部１２ｂが設置されるような形状となっている。屈曲部１２ａの材質は、限定されない。
【００２９】
軒先側覆い部１２ｂは、正面視矩形状となっているが、その形状は限定されない。軒先側覆い部１２ｂは、外装断熱パネル３３で覆われない軒桁２の上端部を覆う断熱材となる。軒先側覆い部１２ｂは、ウレタン発泡断熱材（例えばソフランアイタス（登録商標））といったクッション性のある断熱材で形成されるのが好ましい。
【００３０】
軒側断熱パネル１は、図４（ａ）に示すように、屈曲部１２ａと軒先側覆い部１２ｂとが屋根側覆い部１１の上面に載置される状態の収納状態を有する。軒側断熱パネル１は、図４（ｂ）に示すように、収納状態から屈曲部１２ａと軒先側覆い部１２ｂを展開した状態の展開状態を有する。軒側断熱パネル１が収納状態の際は、作業者が、例えば軒先側覆い部１２ｂと屋根側覆い部１１とをテープで固定することにより、軒側断熱パネル１を搬送し易くなる。
【００３１】
なお、垂れ片１２を屈曲部１２ａと軒先側覆い部１２ｂとに分けて設けずに、図５に示すように、軒側断熱パネル１は屋根側覆い部１１と垂れ片１２とが連続して形成されてもよい。これにより、作業者が施工現場で軒側断熱パネル１を垂木４１の間に嵌め込むだけで、施工が完了するため、作業を簡略化することができる。
【００３２】
軒桁２の下端材２３の下端には、所定の間隔をおいて複数の間柱６１が設置される。間柱６１の上端部には、内壁材下地材６１ａが取付けられる。内壁材下地材６１ａは、間柱６１の間に水平に取付けられる角材である。間柱６１の建物内側の端面と内壁材下地材６１ａの建物内側の端面に、石膏ボードからなる内壁材６２が取付けられる。
【００３３】
内壁材６２の建物の内側の面の上端部には、角材からなる野縁６２ａが取付けられる。野縁６２ａの下端には、石膏ボードからなる天井パネル６３が取付けられる。板部材５１と天井パネル６３との間には、天井裏空間６４が形成される。
【００３４】
垂木４１は、軒桁２よりも更に軒先方向に突出している。垂木４１の軒先端には、鼻隠板７１が取付けられる。軒桁２よりも更に軒先方向に突出している部分の垂木４１と野地板４２の下端面と、鼻隠板７１と、外壁３の上端部とで下方に開口した軒先空間７２が形成される。鼻隠板７１の建物の内側の端面の下端部には、軒天井下地材７３が取付けられる。さらに、外装材３１の軒先側面の上端部には、軒天井下地材７４が取付けられる。そして、両方の軒天井下地材７３、７４の下端に取付けられ、軒先空間７２を閉塞する軒天井７５が取付けられる。
【００３５】
上記した軒側断熱パネル１の施工手順について示す。
【００３６】
施工現場では、作業者は、収納状態の軒側断熱パネル１に貼られているテープを外し、軒先側覆い部１２ｂを把持して斜め上方に引き上げる。そして、作業者は、屈曲部１２ａを屋根側覆い部１１の軒先側端面に当接するまで回転させることにより、軒側断熱パネル１を展開状態にすることができる。展開状態で軒側断熱パネル１を固定するために、作業者は、屋根側覆い部１１の軒先側端面と屈曲部１２ａの前記端面と当接する面を接着剤等で接着する。更に、作業者は、固定された屈曲部１２ａの下端面と軒先側覆い部１２ｂの上端面とを接着剤等で接着する。そして、作業者が、展開状態で固定された軒側断熱パネル１を垂木４１の間に嵌め込むことにより、施工は完了する。
【００３７】
屋根側覆い部１１と、垂れ片１２と、が一体に形成された軒側断熱パネル１の場合は、作業者が施工現場で軒側断熱パネル１を垂木４１の間に嵌め込むだけで、施工が完了する。
【００３８】
上記した構成の屋根構造により、垂木４１と干渉しないように、外装断熱パネル３３の上端を軒桁２の上端よりも所定の間隔下方に位置して設置しており、軒桁２の上端部に外装断熱パネル３３で覆われない非設置部２５が形成される。軒側断熱パネル１が垂木４１の間に配置されることにより、非設置部２５を覆うことができ、建物の断熱性能を向上させることができる。また、軒側断熱パネル１は、垂木４１の傾斜に沿って軒先側に行く程薄くなる屋根裏断熱材５２の軒先側端部も覆う断熱材であり、屋根裏断熱材５２の軒先側端部の断熱性能を補完することができる。
【００３９】
本実施形態の屋根構造の構成は、以下の様になる。
【００４０】
屋根構造は、棟側から軒先側にかけて設置される垂木４１と、垂木４１が固定される軒桁２と、断熱性を有した外壁３と、を備える。屋根構造は、軒桁２の上端に水平に設置される板部材５１と、板部材５１の上面に設置され屋根材４５からの熱を遮断する屋根裏断熱材５２と、を備える。外壁３は、軒桁２の下端に設置される間柱６１の軒先側に設けられる内装材３２と、内装材３２よりも軒先側に設けられる外装材３１と、外装材３１と内装材３２との間に設けられる外装断熱パネル３３と、を有する。外装断熱パネル３３の上端は、垂木４１と干渉しないように軒桁２の上端よりも所定の間隔下方に位置して設置される。軒桁２の軒先側面の上端部には、外装断熱パネル３３によって覆われない非設置部２５が形成され。屋根裏断熱材５２の軒先側の厚みは、垂木４１の傾斜に沿って軒先側に行く程薄くなる。屋根構造は、屋根裏断熱材５２の軒先側端部の上端と、非設置部２５と、を覆い、垂木４１の間に配置される、軒側断熱パネル１を備える。
【００４１】
これにより、軒側断熱パネル１が垂木４１の間に配置されると、軒側断熱パネル１は非設置部２５を覆うことができ、建物の断熱性能を向上させることができる。また、軒側断熱パネル１は、垂木４１の傾斜に沿って軒先側に行く程薄くなる屋根裏断熱材５２の軒先側端部も覆う断熱材であり、屋根裏断熱材５２の軒先側端部の断熱性能を補完することができる。
【００４２】
また、軒側断熱パネル１の屋根裏断熱材５２の軒先側端部の上方に位置する部分の上下方向の高さは、垂木４１の上下方向の高さより低いことが好ましい。
【００４３】
これにより、屋根側覆い部１１の上端と野地板４２の下面との間に屋根裏空間５３と連通する通気空間である連通部４３が設けられる。連通部４３が設けられることにより、断熱性能を補完すると共に、屋根裏空間５３の換気を行うことができる。
【符号の説明】
【００４４】
１    軒側断熱パネル
１１  屋根側覆い部
１２  垂れ片
２    軒桁
２１  Ｈ型鋼
２２  上端材
２３  下端材
２５  非設置部
３    外壁
３１  外装材
３２  内装材
３３  外装断熱パネル
４１  垂木
４１ａ  支持板
４２  野地板
４３  連通部
【図１】
2015113663.tif 000003
【図２】
2015113663.tif 000004
【図３】
2015113663.tif 000005
【図４】
2015113663.tif 000006
【図５】
2015113663.tif 000007